(57)【要約】【課題】神棚の代わりとしても使用でき、しかも、七五三等の御札（御神符）及び場合によっては記念写真等も収納可能な御神符箱を提供する。  【解決手段】前後左右に配置された側板１１〜１４、及び側板１１〜１４の背面側に配置される底板１５を備えて、横幅が１０〜２０ｃｍ、縦が２５〜５０ｃｍ、深さが４〜１０ｃｍの直方体空間部１６ａを備える箱本体１６と、箱本体１６の正面側に配置され、内部を視認できる透明体からなる開閉蓋２１と、底板１５の背面側に設けられたシート状物収納部２３とを有し、箱本体１６には御神符を収納し、シート状物収納部２３には写真又は文書を収納できる。【選択図】図１
0003137269.tif 000002
【実用新案登録請求の範囲】
【請求項１】
前後左右に配置された側板、及び該側板の背面側に配置される底板を備えて、横幅が１０〜２０ｃｍ、縦が２５〜５０ｃｍ、深さが４〜１０ｃｍの直方体空間部を備える箱本体と、
前記箱本体の正面側に配置され、内部を視認できる透明体からなる開閉蓋と、
前記底板の背面側に設けられたシート状物収納部とを有し、
前記箱本体には御神符を収納し、前記シート状物収納部には写真又は文書を収納できることを特徴とする御神符箱。
【請求項２】
請求項１記載の御神符箱において、前記箱本体は木製であって、前記左右の側板の内側上部に前方向に開放する第１のガイド溝を有し、該第１のガイド溝に透明板からなる前記開閉蓋が前側から差し込み可能に配置されていることを特徴とする御神符箱。
【請求項３】
請求項１及び２のいずれか１項に記載の御神符箱において、前記底板の背面側から下方に突出する前記左右の側板には、前方向に開放する第２のガイド溝を有し、該第２のガイド溝に、二枚の硬質合成樹脂板の両側及び底部をシールしてなる前記シート状物収納部が差し込み可能に配置されていることを特徴とする御神符箱。
【請求項４】
請求項１〜３のいずれか１項に記載の御神符箱において、前記前の側板の内側面には「雲」の文字が記載され、前記底板の内側面には、「祝」の文字と、「宮参り」及び「七五三」の文字が記載され、更に、該底板の内側面には、宮参りの日付記載欄、七五三の日付記載欄が設けられていることを特徴とする御神符箱。
【請求項５】
請求項１〜４のいずれか１項に記載の御神符箱において、前記底板の背面の前側には、掛止金具が設けられていることを特徴とする御神符箱。
【請求項６】
請求項１記載の御神符箱において、前記シート状物収納部には、「想」の文字が記載されていることを特徴とする御神符箱。
【考案の詳細な説明】
【技術分野】
【０００１】
本考案は、神社や仏閣から災害を払い、幸いを招くために授与された御神符やお守りを入れてお祭り（祀り）するための御神符箱に関する。
【背景技術】
【０００２】
子供の宮参りで授与されたお守りもどこに置いてよいか分からないのが現状である。神棚があれば、通常は神棚に入れて祭っているが、昨今、神棚を祭る家は少なくなって、結局は押し入れや箪笥の引き出し等で放置されているのが現状である。
一方、特許文献１において、神社や仏閣で絵馬等を入れる収納箱が提案され、特許文献２においては、箱状の中に神符等を収納する表札が開示されている。
【０００３】
【特許文献１】実開平６−６８５７９号公報
【特許文献２】実用新案登録第３０６５１４９号公報
【考案の開示】
【考案が解決しようとする課題】
【０００４】
しかしながら、特許文献１記載の合格祈願具や、特許文献２記載の収納スペースを備えた表札は、小型のもので、お守りは収納できるとしても、少し大型の御神符等は収納できず、また、七五三等で撮った記念写真等を収納できるものではなかった。
本考案は係る事情に鑑みてなされたものであり、神棚の代わりとしても使用でき、しかも、七五三等の御札（御神符）及び場合によっては記念写真等も収納可能な御神符箱を提供することを目的とする。
【課題を解決するための手段】
【０００５】
前記目的に沿う第１の考案に係る御神符箱は、前後左右に配置された側板、及び該側板の背面側に配置される底板を備えて、横幅が１０〜２０ｃｍ、縦が２５〜５０ｃｍ、深さが４〜１０ｃｍの直方体空間部を備える箱本体と、前記箱本体の正面側に配置され、内部を視認できる透明体からなる開閉蓋と、前記底板の背面側に設けられたシート状物収納部とを有し、前記箱本体には御神符を収納し、前記シート状物収納部には写真又は文書を収納できる。
【０００６】
また、第２の考案に係る御神符箱は、第１の考案に係る御神符箱において、前記箱本体は木製であって、前記左右の側板の内側上部に前方向に開放する第１のガイド溝を有し、該第１のガイド溝に透明板からなる前記開閉蓋が前側から差し込み可能に配置されている。
ここで、箱本体は杉板材によって構成するのが好ましいが、その他の木材であってもよい。
【０００７】
第３の考案に係る御神符箱は、第１、第２の考案に係る御神符箱において、前記底板の背面側から下方に突出する前記左右の側板には、前方向に開放する第２のガイド溝を有し、該第２のガイド溝に、二枚の硬質合成樹脂板の両側及び底部をシールしてなる前記シート状物収納部が差し込み可能に配置されている。
【０００８】
第４の考案に係る御神符箱は、第１〜第３の考案に係る御神符箱において、前記前の側板の内側面には「雲」の文字が記載され、前記底板の内側面には、「祝」の文字と、「宮参り」及び「七五三」の文字が記載され、更に、該底板の内側面には、宮参りの日付記載欄、七五三の日付記載欄が設けられている。
【０００９】
第５の考案に係る御神符箱は、第１〜第４の考案に係る御神符箱において、前記底板の背面の前側（箱本体を立てた場合には上側となる）には、掛止金具が設けられている。
【００１０】
そして、第６の考案に係る御神符箱は、第１の考案に係る御神符箱において、前記シート状物収納部には、「想」の文字が記載されている。
【考案の効果】
【００１１】
請求項１〜６記載の御神符箱は、前後左右に配置された側板、及び側板の背面側に配置される底板を備えて、横幅が１０〜２０ｃｍ、縦が２５〜５０ｃｍ、深さが４〜１０ｃｍの直方体空間部を備える箱本体と、箱本体の正面側に配置され、内部を視認できる透明体からなる開閉蓋と、底板の背面側に設けられたシート状物収納部とを有し、箱本体には御神符を収納し、シート状物収納部には写真又は文書を収納できる構造となっているので、開閉蓋を開けて、御神符、御札、お守りなどを収納できる。そして、開閉蓋が透明であるので、収納物を外部から視認できる。
また、背面側にはシート状物収納部が設けられているので、この部分に写真やその時の願い等を記載した書面（文書）を収納することができる。
全体が箱となっているので、そのまま箪笥の上や棚の上に載置でき、収納物の長期の保管が可能となる。
【００１２】
特に、請求項２記載の御神符箱は、箱本体は木製であって、左右の側板の内側上部に前方向に開放する第１のガイド溝を有し、第１のガイド溝に透明板からなる開閉蓋が前側から差し込み可能に配置されているので、開閉蓋の開閉が容易である。
【００１３】
請求項３記載の御神符箱は、底板の背面側から突出する左右の側板には、前方向に開放する第２のガイド溝を有し、第２のガイド溝に、二枚の硬質合成樹脂板の両側及び底部をシールしてなるシート状物収納部が差し込み可能に配置されているので、シート状物収納部を御神符箱の本体に付属させて保存することができる。
【００１４】
請求項４記載の御神符箱においては、前の側板の内側面には「雲」の文字が記載され、底板の内側面には、「祝」の文字と、「宮参り」及び「七五三」の文字の文字が記載され、更に、底板の内側面には、宮参りの日付記載欄、七五三の日付記載欄が設けられているので、宮参りや七五三の日付を記載できる。そして、前の側板の内側面には、「雲」の文字が記載されているので、御神符箱を立てて又は斜めに配置して上下を明確にできる。
【００１５】
請求項５記載の御神符箱においては、底板の背面の前側には、掛止金具が設けられているので、この部分を釘や吊り金具等で吊ると、御神符箱を柱や壁に立てた状態で保持できる。
【００１６】
そして、請求項６記載の御神符箱には、シート状物収納部に、「想」の文字が記載されているので、使用者にその用途を明確に分からせることができる。
【考案を実施するための最良の形態】
【００１７】
続いて、添付した図面を参照しつつ、本考案を具体化した実施の形態につき説明し、本考案の理解に供する。
ここで、図１は本考案の一実施の形態に係る御神符箱の表側斜視図、図２は同裏側斜視図、図３は図１におけるＡ−Ａ断面図、図４（Ａ）、（Ｂ）は図２における矢視Ｂ部の詳細説明図である。なお、図１に示すように、図面の斜め上側を前、斜め下側を後ろとする。これに対応して上下左右を決める。
【００１８】
図１〜図３に示すように、本考案の一実施の形態に係る御神符箱１０は、全て木製板の一例である杉板を用いて構成され、前後左右に配置されたそれぞれ厚みが６〜１５ｍｍの側板１１〜１４、及び側板１１〜１４の下側（背面側）に配置される底板１５を有する箱本体１６を備える。そして、箱本体１６は横幅が１０〜２０ｃｍ、縦が２５〜５０ｃｍで、深さが４〜１０ｃｍの直方体空間部１６ａを備えている。なお、側板１１〜１４及び底板１５を用いる箱本体１６の組み立てにあっては、接着剤（木工用ボンド）と竹釘を用いて行っている。これによって、金属釘を使用して箱本体を作る場合に比較して、更に長期の寿命を有する。
【００１９】
図３に示すように、側板１１の高さｈ１は、他の側板１２〜１４の高さｈ２より小さく、更に、底板１５の厚みｔ１を高さｈ１に加えた長さも、高さｈ２より小さくなっている。そして、図３に示すように、前の側板１１に底板１５を貼り付けた板材が、側板１３、１４の上下方向中間位置にあるように、箱本体１６が形成されている。即ち、側板１３、１４の上側が側板１１の上面（天井面）１７から突出し、側板１３、１４の下側が底板１５の背面１８から突出している。この側板１３、１４の天井面側（正面側）及び背面側の突出した部分には、第１、第２のガイド溝１９、２０が形成されている。
【００２０】
左右の側板１３、１４の内側上部には、前方向に開放し、同一高さ位置にある左右対となる溝から構成される第１のガイド溝１９を有している。そして、第１のガイド溝１９に内部を視認できる透明体の一例である透明板からなる厚み１〜１．５ｍｍの開閉蓋２１が前側から差し込み可能に配置されている。なお、開閉蓋２１は例えば、透明アクリル板からなって、開閉蓋２１を完全に閉めた場合でも、開閉蓋２１の前側端部が箱本体１６の前端から突出し、その部分に滑り止め２２が設けられている。
【００２１】
一方、左右の側板１３、１４の下部であって、底板１５の背面側位置には、前方向に開放し、同一高さ位置にあって、左右対となる溝からなる第２のガイド溝２０が設けられ、二枚の硬質合成樹脂板（例えば、塩化ビニール、厚めのポリエチレン、ＰＰ、ポリカーボネイト）の両側及び底部をシールしてなる透明又は半透明のシート状物収納部２３がこの第２のガイド溝２０に差し込み可能に配置されている。このシート状物収納部２３の表面中央には、「想」の文字が記載され、内部には七五三等の記念写真、護符、想いを記した書面（文書）等が収納できるようになっている。
【００２２】
シート状物収納部２３の高さは第２のガイド溝２０の長さと同一となって、シート状物収納部２３の両端部が第２のガイド溝２０内に納まるようになっている。即ち、シート状物収納部２３を第２のガイド溝２０内に収めた場合、シート状物収納部２３の上端が箱本体１６の前側端部に一致するか、箱本体１６の前側端部より後方位置にあるようになっている。
【００２３】
底板１５の背面側（即ち、裏面側）の中央で前側部位置には掛止金具２４が設けられている。この掛止金具２４は、図４に示すようにビス２５によって底板１５に取付けられる板部材２６と、板部材２６の前端に形成される挿通孔２７にその両端が掛止するＵ字状金具２８とを有している。このＵ字状金具２８は、箱本体１６の前端から突出し、例えば、壁や柱等に設けた釘に引っかけて、この御神符箱１０を固定できるようになっている。
【００２４】
そして、箱本体１６の前の側板１１の内側面には「雲」の文字が記載され、底板１５の内側面には、「祝」の文字と、「宮参り」及び「七五三」の文字が記載され、更に、底板１５の内側面には、宮参りの日付記載欄、七五三の日付記載欄が設けられている。この実施の形態においては、「祝」の文字は朱色で、その他の文字は黒色で記載されている。
【００２５】
従って、この御神符箱１０を使用する場合は、表（正面）の開閉蓋２１を開けて、中にお宮参り、七五三の札（護符）あるいはお守りを入れ、宮参りの日付や七五三の日付を記載する。なお、宮参りや七五三について、それぞれ複数の日付を記載し、それぞれ神社や仏閣に行った年月日を記載するようにしてもよい。家の柱や壁に釘や掛止具を用いて、掛止金具２４を固定して、神棚の代用として使用してもよい。  
【００２６】
また、この実施の形態においては、シート状物収納部は袋状物で箱本体に差し込み可能に配置してあったが、箱本体の底部に形成してもよい。この場合は、開閉蓋が別途必要となる。
なお、前記実施の形態においては、具体的寸法を用いて説明したが、本考案はこの寸法に限定されるものではなく、本考案の要旨を変更しない範囲での設計変更は可能である。
【図面の簡単な説明】
【００２７】
【図１】本考案の一実施の形態に係る御神符箱の表側斜視図である。
【図２】同裏側斜視図である。
【図３】図１におけるＡ−Ａ断面図である。
【図４】（Ａ）、（Ｂ）は図２における矢視Ｂ部の詳細説明図である。
【符号の説明】
【００２８】
１０：御神符箱、１１〜１４：側板、１５：底板、１６：箱本体、１６ａ：直方体空間部、１７：上面（天井面）、１８：背面、１９：第１のガイド溝、２０：第２のガイド溝、２１：開閉蓋、２２：滑り止め、２３：シート状物収納部、２４：掛止金具、２５：ビス、２６：板部材、２７：挿通孔、２８：Ｕ字状金具
【図１】
0003137269.tif 000003
【図２】
0003137269.tif 000004
【図３】
0003137269.tif 000005
【図４】
0003137269.tif 000006